(57)【要約】【課題】部品配置を考慮することにより、ファッション性やデザイン及び小型軽量化が可能で、更にユーザにとって使い勝手が良い開閉式通信端末装置を提供することにある。【解決手段】ユーザが開閉式通信端末装置１を閉じた状態で操作部２３を操作すると、カメラ撮影モードになり、サイドキー１２を半押しにして撮影準備指示を与えると、制御部２０は、閉じた状態であることを認識すると共に、カメラ部２５に所定時間毎に連続撮影した被写体画像の出力命令を出す。カメラ部２５は、連続撮影命令に基づいて、所定時間毎に撮影した被写体画像データをカメラＩ／Ｆ２６を経由して出力すると、制御部２０はＲＡＭ２０ｂのバッファーメモリに一旦格納し、サブ表示部１８に被写体画像を所定時間毎に更新してミラー画像を表示する。【選択図】図４
2004159352.tif 000002
【特許請求の範囲】
【請求項１】
下部筐体と上部筐体とが開閉可能に接続された開閉式通信端末装置において、
前記上部筐体の内面側にはメイン表示装置と、
前記上部筐体の外面側にはカメラ装置とを具備し、
前記カメラ装置で撮影した画像は、前記メイン表示装置に表示可能であること、
を特徴とする開閉式通信端末装置。
【請求項２】
請求項１に記載の開閉式通信端末装置において、
前記上部筐体の外面側には、サブ表示装置を具備し、
前記カメラ装置で撮影した画像は、前記サブ表示装置にも表示可能であること、
を特徴とする開閉式通信端末装置。
【請求項３】
請求項２に記載の開閉式通信端末装置において、
前記サブ表示装置および前記カメラ装置は、その中央線がほぼ揃った状態で配置されていること、
を特徴とする開閉式通信端末装置。
【請求項４】
請求項１乃至請求項３のいずれかに記載の開閉式通信端末装置において、
前記カメラ装置は、前記上部筐体の幅方向のほぼ中央に配置されていること、
を特徴とする開閉式通信端末装置。
【請求項５】
請求項２乃至請求項４のいずれかに記載の開閉式通信端末装置において、
前記サブ表示装置は、前記上部筐体の幅方向のほぼ中央に配置されていること、
を特徴とする開閉式通信端末装置。
【請求項６】
請求項２乃至請求項５のいずれかに記載の開閉式通信端末装置において、
前記カメラ装置は、前記両筐体を閉じた状態にした場合、前記サブ表示装置よりも上部に配置されていること、
を特徴とする開閉式通信端末装置。
【請求項７】
請求項１乃至請求項６のいずれかに記載の開閉式通信端末装置において、
前記下部筐体の外面側には、必要な電力を供給する充電可能な電池部が着脱自在に配置されていること、
を特徴とする開閉式通信端末装置。
【請求項８】
請求項１乃至請求項７のいずれかに記載の開閉式通信端末装置において、
前記下部筐体に着信音を発生するスピーカと、
前記スピーカに対抗する前記下部筐体の外面側には、前記スピーカが発生した着信音を放音するための放音孔が設けられていること、
を特徴とする開閉式通信端末装置。
【請求項９】
請求項２乃至請求項８のいずれかに記載の開閉式通信端末装置において、
前記開閉式通信端末装置の開閉状態を検出する開閉状態検出手段と、
前記カメラ装置の撮影準備指示を与える撮影準備ボタンと、
前記カメラ装置の撮影動作および前記サブ表示装置の表示動作を制御する制御手段とを具備し、
前記制御手段は、前記開閉状態検出手段が閉状態を検出している状態で、前記撮影準備ボタンの操作により撮影準備指示を受けた場合、前記サブ表示装置に前記カメラ装置が撮影した画像を表示すること、
を特徴とする開閉式通信端末装置。
【請求項１０】
請求項９に記載の開閉式通信端末装置において、
前記制御手段は、前記サブ表示装置に前記カメラ装置が撮影した画像を表示する場合、表示する画像の左右を反転させること、
を特徴とする開閉式通信端末装置。
【請求項１１】
請求項９または請求項１０に記載の開閉式通信端末装置において、
前記カメラ装置の撮影開始指示を与えるシャッターボタンを具備し、
前記制御手段は、前記開閉状態検出手段が閉状態を検出している状態で、前記シャッターボタンの操作により撮影開始指示を受けた場合、所定時間毎の連続撮影を中止して、前記サブ表示装置に前記カメラ装置が撮影した画像を左右反転させた静止画で表示すること、
を特徴とする開閉式通信端末装置。
【請求項１２】
請求項９乃至請求項１１のいずれかに記載の開閉式通信端末装置において、
前記カメラ装置が撮影した画像を複数記憶する画像記憶手段と、
前記画像記憶手段が複数記憶する画像と電話番号とを対応付けて記憶する電話番号記憶手段とを具備し、
前記制御手段は、着信の際に検出した発呼者番号と、前記電話番号記憶手段が記憶する電話番号とが一致した場合、前記電話番号に対応する画像を前記画像記憶手段から読み出して前記サブ表示装置に表示できること、
を特徴とする開閉式通信端末装置。
【請求項１３】
撮影機能を有し、第１筐体と第２筐体とが折畳自在に連結された通信端末装置の撮影画像表示方法であって、
前記通信端末装置は、更に、
折畳状態において露出する当該第１筐体の第１面に、撮影用のレンズと、
撮影された像を表示する、当該レンズと同一視野内で視認可能な第１表示器と、
折畳状態において隠蔽される当該第１筐体の第２面に、撮影された像を表示する第２表示器とを備え、
前記撮影画像表示方法は、
前記第１筐体と第２筐体が折畳状態にあるか否かを検出する検出ステップと、
撮影準備指示を受け付ける撮影準備指示受付ステップと、
当該撮影準備指示を受け付けた場合、周期的な撮影を開始し、折畳状態にないと検出されている間、撮影ごとに、撮影された像又はその鏡像を前記第２表示器に表示する表示ステップと、
を含むことを特徴とする撮影画像表示方法。
【発明の詳細な説明】
【技術分野】
【０００１】
本発明は、開閉式通信端末装置に係り、更に詳しくは、下部筐体と上部筐体とが開閉可能に接続されるとともに、上部筐体の内面側にはメイン表示装置と、上部筐体の外面側にはサブ表示装置およびカメラ装置が設けられた開閉式通信端末装置に関する。
【背景技術】
【０００２】
近年、ＰＨＳ(Personal Handy phone System)、ＰＤＣ(Personal Digital Cellular telecommunication system)やＣＤＭＡ( Code Division Multiple Access )などの移動体通信機は、小型軽量化や通信品質の向上および本体価格や通話料金の低下によって広く普及するに至っており、特に若者達の間では必須アイテムとなっている。また最近では、ファッション性や操作性に優れる開閉式（折畳式やスライド式も含む）の移動体通信機に人気が集中しており、製造メーカ各社が競って開閉式移動体通信機を販売している。
【０００３】
折畳式移動体通信機の従来技術として、着信の際に折り畳んだ状態から開いた状態になったことを検出して着信音を停止させる技術（特開平６−１３２８７６号公報または特開平８−３０７４８８号公報）や、ユーザが折り畳んでいる状態でも着信などの報知情報を知ることができるサブ表示装置をメイン表示器とともに具備する技術（特開平１１−７４９５３号公報）が開示されており、これらの折畳式移動体通信機は既に周知となっている。
【０００４】
話は変わるが、例えば通信事業者のＪ−ＰＨＯＮＥが発売したＪ−ＳＨ０４にはデジタル・カメラ装置が搭載されており、撮った写真をデジタル画像データに変換し、簡単操作で直ちに通話相手に送信できるようになっている。その一方、本体形状は他のストレートタイプの移動体通信機と同様に、手のひらに納まるほどのコンパクト設計となっており、将来的には折畳式移動体通信機も本体形状はそのままで若しくは更に小型化され、デジタル・カメラ装置が標準装備されるものと予想される。なお、本願出願人もデジタル・カメラ付き移動体通信機であるＪ−ＳＡ０３を本年４月上旬に発売したが、当該移動体通信機は開いた状態では従来のストレートタイプの移動体通信機よりも少し大きくなってはいるものの、折り畳み状態では全長が約半分のコンパクト設計となっており、丁度手の中に納まるサイズである。
【０００５】
なお、原出願である特願２００１−３８６４８３の審査段階において、引用文献（下記の特許文献１）には、第１及び第２の筐体部材で構成されるカメラ付き携帯情報端末において、筐体を開いた場合に露呈する第１の筐体部材の第１の面に設けられている第１の表示画面（本願発明の「第２表示器」に対応する。）と、該第１の筐体部材の第１の面と反対側の第２の面に設けられている第２の表示画面（本願発明の「第１表示器」に対応する。）及びカメラ部（本願発明の「レンズ」に対応する。）を備え、カメラ部により生成された画像情報を、筐体が開いている場合には、第１の表示画面に表示し、筐体が閉じている場合には、第２の表示画面に表示することが記載され、電話番号とカメラからの画像とを対応付けることも記載されているとの指摘を受けた。
【特許文献１】特願２００２−３１０１１９号（特開２００３―３０４３０８号公報）
【発明の開示】
【発明が解決しようとする課題】
【０００６】
ところで、本願出願人が発売するＪ−ＳＡ０３には、通知すべき情報、文字情報や現在時刻情報などの各種詳細情報を表示するメインディスプレイのほかに、本体を閉じている場合に待受時や着信時などの簡易情報を表示する小型・横長のサブディスプレイが設けられているが、あくまで文字や発光色を変えることにより各種情報を表示する表示装置であって、当然ながら撮影画像を表示することはできない。
【０００７】
一方、使用者が自分自身を撮影する場合には、カメラ装置で取り込んだ撮影画像がメインディスプレイに表示されるものの、カメラ装置が裏面に設けられている関係上、自分自身の撮影と同時にメインディスプレイを見ることができないので、使用者はカメラ装置のレンズの近傍に設けられたミラーを見て、撮影される自己を概ね確認するようになっているが、実際の撮影画像ではないので取りなおしが発生することもある。
【０００８】
更に、開閉式通信端末装置は、ファッション性が重視され且つデザインが優先される一方、小型軽量化が要求されるので必須部品の配置には非常に苦慮するものである。
【課題を解決するための手段】
【０００９】
請求項１に係る本発明の開閉式通信端末装置は、上記の目的を達成するために、下部筐体と上部筐体とが開閉可能に接続された開閉式通信端末装置において、前記上部筐体の内面側にはメイン表示装置と、前記上部筐体の外面側にはカメラ装置とを具備し、前記カメラ装置で撮影した画像は、前記メイン表示装置に表示可能であることを特徴とする。
【００１０】
請求項２に係る本発明の開閉式通信端末装置は、請求項１に記載の開閉式通信端末装置において、前記上部筐体の外面側には、サブ表示装置を具備し、前記カメラ装置で撮影した画像は、前記サブ表示装置にも表示可能であることを特徴とする。
【００１１】
請求項３に係る本発明の開閉式通信端末装置は、請求項２に記載の開閉式通信端末装置において、前記サブ表示装置および前記カメラ装置は、その中央線がほぼ揃った状態で配置されていることを特徴とする。
【００１２】
請求項４に係る本発明の開閉式通信端末装置は、請求項１乃至請求項３のいずれかに記載の開閉式通信端末装置において、前記カメラ装置は、前記上部筐体の幅方向のほぼ中央に配置されていることを特徴とする。
【００１３】
請求項５に係る本発明の開閉式通信端末装置は、請求項２乃至請求項４のいずれかに記載の開閉式通信端末装置において、前記サブ表示装置は、前記上部筐体の幅方向のほぼ中央に配置されていることを特徴とする。
【００１４】
請求項６に係る本発明の開閉式通信端末装置は、請求項２乃至請求項５のいずれかに記載の開閉式通信端末装置において、前記カメラ装置は、前記両筐体を閉じた状態にした場合、前記サブ表示装置よりも上部に配置されていることを特徴とする。
【００１５】
請求項７に係る本発明の開閉式通信端末装置は、請求項１乃至請求項６のいずれかに記載の開閉式通信端末装置において、前記下部筐体の外面側には、必要な電力を供給する充電可能な電池部が着脱自在に配置されていることを特徴とする。
【００１６】
請求項８に係る本発明の開閉式通信端末装置は、請求項１乃至請求項７のいずれかに記載の開閉式通信端末装置において、前記下部筐体に着信音を発生するスピーカと、前記スピーカに対抗する前記下部筐体の外面側には、前記スピーカが発生した着信音を放音するための放音孔が設けられていることを特徴とする。
【００１７】
請求項９に係る本発明の開閉式通信端末装置は、請求項２乃至請求項８のいずれかに記載の開閉式通信端末装置において、前記開閉式通信端末装置の開閉状態を検出する開閉状態検出手段と、前記カメラ装置の撮影準備指示を与える撮影準備ボタンと、前記カメラ装置の撮影動作および前記サブ表示装置の表示動作を制御する制御手段とを具備し、前記制御手段は、前記開閉状態検出手段が閉状態を検出している状態で、前記撮影準備ボタンの操作により撮影準備指示を受けた場合、前記サブ表示装置に前記カメラ装置が撮影した画像を表示することを特徴とする。
【００１８】
請求項１０に係る本発明の開閉式通信端末装置は、請求項９に記載の開閉式通信端末装置において、前記制御手段は、前記サブ表示装置に前記カメラ装置が撮影した画像を表示する場合、表示する画像の左右を反転させることを特徴とする。
【００１９】
請求項１１に係る本発明の開閉式通信端末装置は、請求項９または請求項１０に記載の開閉式通信端末装置において、前記カメラ装置の撮影開始指示を与えるシャッターボタンを具備し、前記制御手段は、前記開閉状態検出手段が閉状態を検出している状態で、前記シャッターボタンの操作により撮影開始指示を受けた場合、所定時間毎の連続撮影を中止して、前記サブ表示装置に前記カメラ装置が撮影した画像を左右反転させた静止画で表示することを特徴とする。
【００２０】
請求項１２に係る本発明の開閉式通信端末装置は、請求項９乃至請求項１１のいずれかに記載の開閉式通信端末装置において、前記カメラ装置が撮影した画像を複数記憶する画像記憶手段と、前記画像記憶手段が複数記憶する画像と電話番号とを対応付けて記憶する電話番号記憶手段とを具備し、前記制御手段は、着信の際に検出した発呼者番号と、前記電話番号記憶手段が記憶する電話番号とが一致した場合、前記電話番号に対応する画像を前記画像記憶手段から読み出して前記サブ表示装置に表示できることを特徴とする。
【００２１】
請求項１３に係る本発明の撮影画像表示方法は、撮影機能を有し、第１筐体と第２筐体とが折畳自在に連結された通信端末装置の撮影画像表示方法であって、前記通信端末装置は、更に、折畳状態において露出する当該第１筐体の第１面に、撮影用のレンズと、撮影された像を表示する、当該レンズと同一視野内で視認可能な第１表示器と、折畳状態において隠蔽される当該第１筐体の第２面に、撮影された像を表示する第２表示器とを備え、前記撮影画像表示方法は、前記第１筐体と第２筐体が折畳状態にあるか否かを検出する検出ステップと、撮影準備指示を受け付ける撮影準備指示受付ステップと、当該撮影準備指示を受け付けた場合、周期的な撮影を開始し、折畳状態にないと検出されている間、撮影ごとに、撮影された像又はその鏡像を前記第２表示器に表示する表示ステップとを含むことを特徴とする。
【発明の効果】
【００２２】
本発明の解決しようとする問題点は、部品配置を考慮することにより、ファッション性やデザイン及び小型軽量化が可能で、更にユーザにとって使い勝手が良い開閉式通信端末装置特有の構造を提供することである。
【００２３】
また、カメラ装置と同じ面に設けられたサブディスプレイを利用して、撮影者自身の撮影画像やタイマー撮影時の画像を違和感なく表示するとともに、撮影した被写体画像を発呼者表示に有効利用することが可能な開閉式通信端末装置を提供することである。
【発明を実施するための最良の形態】
【００２４】
まず、本明細書で使用する用語の意義を定義する。
【００２５】
ミラー画像とは、撮影者が人物や風景を撮影した場合に得られる通常の画像に対し、当該通常の画像の左右を反転して得られる画像である。例えば、右手でＯＫサインを出して鏡を見ると左手でＯＫサインを出したように見えるが、撮影者である自分を被写体として表示する場合にはミラー画像の方が違和感がない。
【００２６】
非ミラー画像とは、当該通常の画像を意味する。
【００２７】
次に、本発明の実施の形態を図面と共に詳細に説明する。
【００２８】
図１は、本発明に係る開閉式通信端末装置の開いた状態の外観図であり、図１（Ａ）が正面図、図１（Ｂ）が右側面図および図１（Ｃ）が裏面図である。
【００２９】
１は、開閉式通信端末装置本体であり、一般的に通話および通話に関連する操作や電子メール操作を行う場合は開いた状態とする一方、待ち受けの場合は閉じた状態とする。但し、開閉式通信端末装置１は、閉じた状態でメモリダイヤルの中から所望の発呼先を選択した後、装置本体を開状態にすることにより、当該発呼先に対応する電話番号へ自動的にダイヤルするようになっている。
【００３０】
２は、メインディスプレイであり、カラー液晶表示装置、ＤＭＤ（デジタル・ミラー・デバイス）や有機ＥＬ表示装置、ＰＤＰ（プラズマ・ディスプレイ・パネル）などから構成され、通知すべき情報、文字情報や現在時刻情報、画像情報などの各種詳細情報を表示する。なお、開閉式通信端末装置１が閉じられた状態では、ユーザはメインディスプレイ２の表示内容を確認できないので、バックライトの消灯または電源ＯＦＦされて節電に寄与する。
【００３１】
３は、フレキシブルキーであり、他のキーやボタンと組み合せて各種機能を設定するときに使用する。例えば、メインディスプレイ２の下部に表示される項目ボタンを選択するキーとなったり、待ち受け中において左ボタンはファンクションキー（以下、「Ｆキー」と省略する。）および右ボタンは文字キーの機能が付与される。
【００３２】
４は、４接点キーであり、上下左右方向にカーソルを移動させたり、表示内容をその方向に順番にスクロールさせる。また、音量の設定やメモリダイヤルの呼び出し、リダイヤルや漢字変換などに使用される。
【００３３】
５は、Ｅメールキーであり、扱える文字数が少ないスカイメールや、逆に扱える文字数が多くまた添付ファイルも利用できるロングメールなどの電子メール機能を使用するときに操作される。また、文字を消去したり、前の表示に戻るときに使用する（即ち、クリアキー）。
【００３４】
６は、ＯＫキーであり、選択されている項目を決定または確定するときに操作される。
【００３５】
７は、終了／電源キーであり、電源をＯＮ／ＯＦＦしたり、通話の終了や着信時に応答保留する際に使用する。
【００３６】
８は、テンキーであり、電話番号や文字を入力する。
【００３７】
９は、マイクであり、通話中に音声を送信する。
【００３８】
１０は、イヤホン端子であり、イヤホンマイクを接続する。
【００３９】
１１は、ＷＥＢキーであり、インターネット接続機能の表示画面に移行する際に使用する。さらに、電子メール機能の表示画面に移行する際や、ウェブやステーションを利用するときに使用したり、メニューを表示して選択するときに使用される。
【００４０】
１２は、後述するカメラ装置で撮影するときに使用するシャッターボタンとしてのサイドキーであり、カメラ撮影モードにおいて半押しで撮影準備指示を与えるとともに、続けて完全に押した場合に撮影開始指示を与える（但し、開いた状態では、テンキー８に含まれる＊キーが撮影準備キーに、またＯＫキー６がシャッターボタンとして割り当てられる）。また、閉じた状態で所定時間以上（例えば、３秒以上）サイドキー１２を完全に押した状態にすると、サブディスプレイ１８に最新の撮像データを読み出して表示する。さらに続けてサイドキー１２の下部に設けられたダウンキー１２ｂが操作されると時系列的に次に古い他の撮像データを読み出して表示する一方、上部に設けられたアップキー１２ａが操作されると時系列的に次に新しい他の撮像データを読み出して表示するようになっており、最終撮像データが表示されると先頭に戻って表示されるようになっている（即ち、ラップアラウンド表示機能）。
【００４１】
なお、メインディスプレイ２またはサブディスプレイ１８に撮像データを読み出して表示している場合に、アップキー１２ａを所定時間以上（例えば、３秒以上）完全に押した状態にすると、表示中の撮像データは拡大される一方、ダウンキー１２ｂを所定時間以上（例えば、３秒以上）完全に押した状態にすると、表示中の撮像データは縮小表示される（即ち、ズームアップおよびズームダウン機能）。そして、サイドキー１２は、簡易留守録を設定／解除したり、通話中に相手の声を録音したり、録音した内容を再生するときにも使用される（即ち、メモボタン）。
【００４２】
１３は、外部接続端子であり、急速充電器やシガーライター充電器、モバイルツールなどを接続する。
【００４３】
１４は、開始キーであり、電話をかけたり受けたりする際に使用する。
【００４４】
１５は、アンテナであり、通信に必要な電波を受信および送信する。
【００４５】
１６は、レシーバ（受話器）であり、相手の声や各種メッセージ音などが再生される。
【００４６】
１７は、着信音や着信メロディを放音するための放音孔であり、その下部には着信報知スピーカが内蔵されている。
【００４７】
１８は、サブディスプレイであり、カラー液晶表示装置、ＤＭＤ（デジタル・ミラー・デバイス）や有機ＥＬ表示装置などの各種表示装置で構成され、本体を閉じている場合に、待受時や着信時などの簡易情報を表示する。特に、サブディスプレイ１８は、通常設けられている着信ランプや撮影ランプを兼ねており、着信があると呼び出し相手に応じ色で点滅して通知する。また、撮影時のシャッター開閉動作と連動して発光したり、充電中に赤色に点灯するようになっている。
【００４８】
さらに、サブディスプレイ１８は、後述するカメラ装置で撮影した撮像データ（即ち、画像情報）を表示することが可能であり、サブディスプレイ１８に鏡と同じ機能を付与するため当該撮像データは左右反転したミラー画像で表示されるようになっている。なお、開閉式通信端末装置１が開かれた状態では、メインディスプレイ２に詳細内容が表示されるので、サブディスプレイ１８（バックライトを含む全ての回路素子）への電源供給が断されて消灯し、節電に寄与する。なお、サブディスプレイ１８が消灯している際、サイドキー１２を操作すると、サブディスプレイ１８のバックライトは点灯し所定時間経過後に再び消灯する。
【００４９】
１９は、開閉検出スイッチであり、開閉式通信端末装置１が閉じた状態にあるか、完全に開いた状態にあるかまたは半開きの状態にあるかを機械的に検出するマイクロスイッチである。ただし、開閉式通信端末装置１が開いたことを検出する光センサーや開き角度を検出するエンコーダなど周知の手段を用いることができる。なお、開閉式通信端末装置１が閉じた状態か否かだけを検出するマイクロスイッチなどであってもよい。
【００５０】
３０は、充電可能で着脱自在の電池パックであり、開閉式通信端末装置１の各種電子回路に必要な電力を供給する。
【００５１】
３１は、内臓のカメラ装置であり、レンズを通して入力された人物や風景などの光がＣＣＤやＣ−ＭＯＳ人工網膜ＩＣなどによって撮影され、撮像データとして出力される。なお、ユーザが記憶操作をした場合、この撮像データに識別番号が付与されて画像記憶部（例えば、後述するＲＡＭなど）に順次記憶される。
【００５２】
３２は、着信ＬＥＤであり、着信呼出の際には緑色で、画像データをメインディスプレイ２またはサブディスプレイ１８に表示する際にはオレンジ色で、充電中には赤色で発光するようになっている。また、タイマー撮影時には、残り時間に関連して、オレンジ色で点滅する速度が徐々に速くなる。これにより、被写体の人物は、撮影開始が近づいているのを知ることが可能となる。
【００５３】
以上の構成の説明により、本願発明に係る開閉式通信端末装置１の構造上の特徴が明確と成る（図１（Ｃ）、図３（Ａ）または図４（Ａ）参照）。
（１）上部筐体の内面側にはメイン表示装置と、外面側にはサブ表示装置およびカメラ装置が設けられていること、
（２）サブ表示装置およびカメラ装置は、中央線がほぼ揃った状態で配置されていること、
（３）カメラ装置は、上部筐体の幅方向のほぼ中央に配置されていること、
（４）サブ表示装置は、上部筐体の幅方向のほぼ中央に配置されていること、
（５）カメラ装置は、両筐体を閉じた状態にした場合、サブ表示装置よりも上部に配置されていること、
（６）下部筐体の外面側には、必要な電力を供給する充電可能な電池部が着脱自在に配置されていること、
（７）下部筐体に着信音を発生するスピーカと、スピーカと対抗する下部筐体の外面側には、スピーカが発生した着信音を放音するための放音孔が設けられていること。
【００５４】
以上の特徴的構成を具備することにより、本願発明に係る開閉式通信端末装置１は、ファッション性やデザイン及び小型軽量化が可能であるだけではなく、特にサブ表示装置およびカメラ装置の中央線がほぼ揃って中央に配置されているので、撮影操作や撮影後の画像確認が容易となる。
【００５５】
図２は、本発明に係る開閉式通信端末装置の構成を示すブロック図であり、例えば、ＩＳ−９５(Interim Standard 95)ベースのＣＤＭＡ(Code Division Multiple Access)方式携帯電話の移動端末装置に適用した場合を示している。なお、図１と重複する構成については同一符号を付し、その説明を省略する。但し、通信方式に関してはＣＤＭＡ方式に限定されるものではなく、ＰＤＣ(Personal Digital Cellular)やＰＨＳ(Personal Handyphone System)など、いずれでもよい。
【００５６】
図２から明かなように、開閉式通信端末装置１は、アンテナ１５、送受信部２１、変復調部（即ち、ベースバンド処理部などを含む）２２、音声処理部２４、マイク９、レシーバ１６、制御部２０、メイン表示部２、サブ表示部１８、カメラ部２５、カメラＩ／Ｆ２６および操作部２３を具備する構成となっている。
【００５７】
制御部２０は、例えばマイクロプロセッサとＲＯＭ(Read Only Memory)２０ａおよびＲＡＭ(Random Access Memory)２０ｂなどからなり、ＲＯＭ２０ａに格納されている制御プログラムにしたがって各種の制御を行う。また、ＲＡＭ２０ｂには、送信する情報や受信した情報および電話帳データ（例えば、メモリダイヤル９９９件分のデータ）などが一時的にまたは消去／変更操作が行われるまで格納されるようになっている。
【００５８】
メイン表示部２およびサブ表示部１８は、それぞれメインディスプレイ２およびサブディスプレイ１８に対応している。
【００５９】
操作部２３は、フレキシブルキー３、４接点キー４、Ｅメールキー５、ＯＫキー６、終了／電源キー７、テンキー８、ＷＥＢキー１１、サイドキー１２、開始キー１４および開閉検出スイッチ１９で構成される。
【００６０】
上記構成の開閉式通信端末装置１において、受信電波はアンテナ１５を経て送受信部２１で受信され、変復調部２２で復調される。この変復調部２２で復調された音声情報は音声処理部２４へ供給され、制御部２０の制御のもとに、音声処理部２４で所定の処理が行われた後、スピーカ１６で電気−音響変換されて音声となって出力される。
【００６１】
また、変復調部２２で復調された受信データは制御部２０へ供給される。この受信データは制御データ、文字データ等（例えば、相手電話番号）および画像データなどからなり、必要に応じてメイン表示部２やサブ表示部１８に供給されて文字情報や画像情報として表示されたり、ＲＡＭ１９ａに格納される。この受信データの制御データには、音声通信の着信情報（呼び出し側の電話番号を含む）や、ＳＭＳベアラー（ショート・メッセージ・ベアラー）という方式によって送信されてくる電子メールおよび文字メッセージの着信情報などのデータも含まれている。
【００６２】
一方、入力された音声は、マイク９で音響−電気変換され、音声処理部２４で所定の処理が施された後、変復調部２２に供給される。また、操作部２３からの入力情報は、制御部２０を経由して必要に応じてＲＡＭ２０ｂに格納されるとともに、送信データとして変復調部２２に供給される。変復調部２２は、供給される音声信号や送信データを変調した後、送受信部２１を経てアンテナ１５から送信される。
【００６３】
カメラ部２５は、フレキシブルケーブルおよびカメラＩ／Ｆ２６を介して制御部２０に接続されており、操作者が操作部２３を操作してカメラ撮影に関する各種コマンドを入力すると、制御部２０はカメラＩ／Ｆ２６に指示を出す。カメラＩ／Ｆ２６は撮影指示を受けると、カメラ部２５に対して各種制御コマンド出力し、カメラ部２５から得た撮像データをＲＡＭ２０ｂに格納する。但し、ＲＡＭ２０ｂは一般に容量が小さいので、撮像データを専用に記憶する大容量ＲＡＭ（例えば、画像記憶部２５ａ）を別途設けてもよい。当然ながら、ＲＡＭ２０ｂに格納された撮像データは、変復調部２２によって変調された後、送受信部２１を経てアンテナ１５から送信することが可能である。なお、ＲＡＭ２０ｂなどが記憶する電話帳データ中の相手番号と撮像データ（例えば、相手の顔写真）とが対応付けて記憶されている。
【００６４】
つぎに、上述のように構成された本発明に係る開閉式通信端末装置の撮影動作について詳細に説明する。
【００６５】
まず、開閉式通信端末装置１のユーザが終了／電源キー７を操作して電源をＯＮにすると、制御部２０はＲＯＭ２０ａから制御プログラムを読み込んで必要な初期設定を行った後、基地局（図示せず）と所定の手順で信号を送受信して位置登録を行って、待ち受け状態に入る。
【００６６】
そして、ユーザが開閉式通信端末装置１を閉じた状態で操作部２３を操作することにより、カメラ撮影モードに移行させ、サイドキー１２を半押しにして撮影準備指示を与えると、制御部２０は、閉じた状態であることを認識すると共に、カメラ部２５に所定時間毎に連続撮影した被写体画像の出力命令を出す。但し、開いた状態では、テンキー８に含まれる＊キーが撮影準備キーに、またＯＫキー６がシャッターボタンとして割り当てられる。
【００６７】
カメラ部２５は、連続撮影命令に基づいて、所定時間毎に撮影した被写体画像データをカメラＩ／Ｆ２６を経由して出力すると、制御部２０はＲＡＭ２０ｂのバッファーメモリに一旦格納し、サブ表示部１８に被写体画像を所定時間毎に更新して表示する。なお、制御部２０は、開閉式通信端末装置１が閉じた状態で被写体画像を表示する際、画像の左右を反転させた所謂ミラー画像を表示するようになっている。
【００６８】
図３は、本発明に係る開閉式通信端末装置の外観図であり、上記撮影準備時における表示動作を示している。なお、この図３（Ａ）乃至（Ｃ）は、ユーザが撮影に際して、自己に狙いをつけている状態をイメージ的に示している。
【００６９】
ユーザが、開閉式通信端末装置１を閉じた状態で、例えば自分の右手でＯＫサインを出してポーズを取り、サイドキー１２を半押しにして撮影準備指示を与えると、制御部２０は、例えば０．１秒毎に連続撮影した被写体画像をサブディスプレイ１８にミラー画像で表示する（図３（Ａ）乃至（Ｃ）参照）。その結果、ユーザは撮影される自分の状態を鏡で見るような感覚で認識できるので、撮影ミスも少なくなる。
【００７０】
図４は、本発明に係る開閉式通信端末装置の外観図であり、撮影が終了した状態における表示動作を示している。
【００７１】
ユーザが、上記図３の撮影準備の後、さらにサイドキー１２を完全に押して撮影が終了した状態が図４（Ａ）であり、制御部２０は撮影が終了した後には０．１秒毎の連続撮影を中止して、サブディスプレイ１８にカメラ装置３１が撮影した被写体画像をサブディスプレイ１８にミラー画像の静止画で表示するので、被写体である撮影者には、違和感を生じない。なお、制御部２０は、この閉状態での撮影の際には、開状態でのシャッター音よりも大きくしたり、又は「写真撮影しました。」というような音声で撮影があったことを知らせるので、これにより盗撮がある程度予防できる。
【００７２】
図４（Ａ）の状態で、ユーザが開閉式通信端末装置１を開状態にすると、制御部２０は、サブディスプレイ１８に表示していた被写体画像をメインディスプレイ２に非ミラー画像（即ち、撮影されたままの画像）で表示するとともに（図４（Ｂ）参照）、サブディスプレイ１８への電源の供給が断されて消灯するので、節電に寄与する（図４（Ｃ）参照）。なお、メインディスプレイ２には被写体画像が非ミラー画像で表示され、右手でＯＫサインを出した被写体の画像も右手と認識できるので、見た者に違和感を生じない。さらに、図４（Ｂ）の状態から、ユーザが開閉式通信端末装置１を閉状態にして当該画像を表示させると、制御部２０は、メインディスプレイ２に表示されていた被写体画像をそのままサブディスプレイ１８にも表示する（図４（Ｄ）参照）。
【００７３】
図５は、本発明に係る開閉式通信端末装置の外観図であり、撮影準備時における表示動作を示している。
【００７４】
図３に示す撮影準備時の表示状態から、ユーザが開閉式通信端末装置１を開状態にすると、制御部２０はサブディスプレイ１８に表示していた被写体画像（図５（Ａ）参照）をメインディスプレイ２に非ミラー画像（即ち、撮影されたままの画像）で一瞬だけ表示するとともに（図５（Ｂ）参照）、撮影準備状態は維持されているので、所定時間後に次の画像を撮影し非ミラー画像で表示する（図５（Ｃ）参照）。なおこの場合、向かって左に女の子と右に犬という風景画が撮影されるとともに、図４（Ｃ）と同様、サブディスプレイ１８への電源の供給が断されて消灯するので節電に寄与する（図５（Ｄ）参照）。
【００７５】
図６は、本発明に係る開閉式通信端末装置の外観図であり、タイマー撮影における表示動作を示している。
【００７６】
図５（Ｄ）に示す撮影準備時の表示状態から、ユーザがテンキー８に含まれるタイマー撮影キー（例えば、＃キー）を押すと、制御部２０はメインディスプレイ２に表示していた被写体画像（図５（Ｃ）参照）をサブディスプレイ１８に、図５（Ａ）と比較して上下を反転したミラー画像を表示するとともに、タイマー撮影が開始されているので、残り時間のカウントダウン表示を行って（図６（Ａ）乃至図６（Ｃ）参照、）、最終的に図６（Ｄ）が撮影画像となる。なお、上下反転したミラー画像で表示するのは、被写体の人物達に残り時間と撮影画像を表示するためである。なお又、人物画像の有効利用の一例として、撮影した人物画像と電話帳に登録された電話番号や相手の名前とを対応付けて記憶し、着信時に受信した着呼者番号と当該電話番号とが一致した場合、相手の名前と共に、人物画像をメインディスプレイ２やサブディスプレイ１８に表示すれば、直ちに発呼者を知ることが出きる。
【産業上の利用可能性】
【００７７】
以上説明した様に、本発明に係る開閉式通信端末装置によれば、ファッション性やデザイン及び小型軽量化が可能であるとともに、ユーザにとって使い勝手が非常に良いので、単なる一時期のヒット商品になるだけではなく、開閉式通信端末装置の基本構造になると予想される。特に、上部筐体の内面側に設けられたメイン表示装置の外面側にはカメラ装置を具備するので、カメラ装置で自分を撮影した後、そのまま上部筐体を開状態にすれば、すぐに撮った画像が確認できる。なお、従来の装置では、カメラ装置は下部筐体の外面側に設けられているので、撮影して装置本体を回転させて持ち替えた後、上部筐体を開状態にするという煩わしい動作が必要である。
【００７８】
また、カメラ装置で撮影した撮像データをサブディスプレイ１８にミラー画像で表示するとともに、タイマー撮影時にはミラー画像の上下を反転して表示するので、被写体の人物から見て違和感を生じない。
【図面の簡単な説明】
【００７９】
【図１】本発明に係る開閉式通信端末装置の開いた状態の外観図である。
【図２】本発明に係る開閉式通信端末装置の構成を示すブロック図である。
【図３】本発明に係る開閉式通信端末装置の外観図である。
【図４】本発明に係る開閉式通信端末装置の外観図である。
【図５】本発明に係る開閉式通信端末装置の外観図である。
【図６】本発明に係る開閉式通信端末装置の外観図である。
【符号の説明】
【００８０】
１        開閉式通信端末装置本体
２        メインディスプレイ
１５      アンテナ
１８      サブディスプレイ
２０      制御部
２０ａ    ＲＯＭ
２０ｂ    ＲＡＭ
２１      送受信部
２２      変復調部
２３      操作部
２４      音声処理部
２５      カメラ部
２５ａ    画像記憶部
２６      カメラＩ／Ｆ
３１      カメラ装置
【図１】
2004159352.tif 000003
【図２】
2004159352.tif 000004
【図３】
2004159352.tif 000005
【図４】
2004159352.tif 000006
【図５】
2004159352.tif 000007
【図６】
2004159352.tif 000008